(57)【要約】【課題】帯の両端部の加熱接着時において帯をスィーパに接着させることのないようにする。【解決手段】集積紙葉類２６の集積方向一面側の略中央部を押圧面によって集積方向に押圧するスィーパ２４と、このスィーパ２４の反押圧面側に設けられた離型シート層２４ｂと、スィーパ２４によって押圧される集積紙葉類２６の集積方向他面側の両側部を支持することにより集積紙葉類２６を湾曲させる支持板２９と、湾曲された集積紙葉類２６に帯２１を巻き付けて該帯２１の両端部をスィーパ２４の離型シート層２４ｂ上で重ね合わせて加熱接着して施封する帯巻付機構３４と、帯巻付機構３４により集積紙葉類２６が施封された後、スィーパ２４を帯２１から引き抜く引抜機構３９とを具備する。【選択図】      図１０
2008030785.tif 000002
【特許請求の範囲】
【請求項１】
集積紙葉類の集積方向一面側の略中央部を押圧面側によって集積方向に押圧する押圧手段と、
この押圧手段の反押圧面側に設けられた離型材と、
前記押圧手段によって押圧される前記集積紙葉類の集積方向他面側の両側部を支持することにより前記集積紙葉類を湾曲させる支持手段と、
前記湾曲された集積紙葉類に帯を巻き付けて該帯の両端部を前記押圧手段の離型材上で重ね合わせて加熱接着することにより施封する施封手段と、
この施封手段により前記集積紙葉類が施封されたのち、前記押圧手段を前記帯から引き抜く引抜手段と
を具備することを特徴とする紙葉類施封装置。
【請求項２】
集積紙葉類の集積方向一面側の略中央部を集積方向に押圧する押圧手段と、
この押圧手段によって押圧される前記集積紙葉類の集積方向他面側の両側部を支持することにより前記集積紙葉類を湾曲させる支持手段と、
前記湾曲された集積紙葉類に帯を巻き付けて該帯の両端部を前記押圧手段上で重ね合わせて加熱接着することにより施封する施封手段と、
この施封手段による前記集積紙葉類の施封後、前記押圧手段を前記帯の両端部から引き剥がす引剥手段と、
この引剥手段により前記押圧手段が引剥されたのち、前記押圧手段を前記帯から引き抜く引抜手段と、
を具備することを特徴とする紙葉類施封装置。
【請求項３】
前記引剥手段は、前記押圧手段を前記帯の両端部に対し垂直方向に移動させて引き剥がすことを特徴とする請求項２記載の紙葉類施封装置。
【請求項４】
前記引剥手段は、前記押圧手段を前記帯の両端部に対し平行に移動させて引き剥がすことを特徴とする請求項２記載の紙葉類施封装置。
【請求項５】
集積紙葉類の集積方向一面側の略中央部を集積方向に押圧する押圧手段と、
この押圧手段によって押圧される前記集積紙葉類の集積方向他面側の両側部を支持することにより前記集積紙葉類を湾曲させる支持手段と、
前記湾曲された集積紙葉類に帯を巻き付けて該帯の両端部を前記押圧手段上で重ね合わせて加熱接着することにより施封する施封手段と、
この施封手段によって施封された前記集積紙葉類の端面に平行に当接しながら前記施封された集積紙葉類を押し出す押出手段と
を具備することを特徴とする紙葉類施封装置。
【請求項６】
前記押出手段は回動自在に設けられ、その回動端側に前記施封された集積紙葉類の端面に平行に当接する折曲部を形成したことを特徴とする請求項５記載の紙葉類施封装置。
【請求項７】
前記押出手段は前記施封された集積紙葉類の押出方向に沿って移動することにより、前記施封された集積紙葉類の端面に平行に当接することを特徴とする請求項５記載の紙葉類施封装置。
【発明の詳細な説明】
【技術分野】
【０００１】
本発明は、例えば、有価証券などの紙葉類を所定枚数集積してなる集積紙葉類を帯で施封する紙葉類施封装置に関する。
【背景技術】
【０００２】
この種の紙葉類施封装置には、レシーバ上に帯を供給するとともに、この帯上に集積紙葉類を供給し、この供給された集積紙葉類を押圧手段としてのスィーパによって押し下げることにより、施封位置へと移動させて施封するものがある。
【０００３】
即ち、施封位置へ移動された集積紙葉類はその下面側の両側部が支持板で支持されることにより湾曲され、この状態から帯が巻き付けられてその両端部がスィーパ上で重ね合わされる。そして、この重ね合わされた帯の両端部がヒータにより加熱されることにより接着されて施封される。
【０００４】
施封された集積紙葉類（以下、施封把という）は、スィーパが帯から引き抜かれたのち、押出手段としてのプッシャーによって押し出されて排出される（例えば、特許文献１参照。）。
【特許文献１】特開２００１−２６１００９号公報  （第５頁、図７）
【発明の開示】
【発明が解決しようとする課題】
【０００５】
しかしながら、従来においては、帯の両端部をスィーパ上で加熱接着したときに、帯の接着剤がスィーパ上に溶け出して帯がスィーパに接着してしまうことがあった。
【０００６】
このため、スィーパを帯から引き抜くと、スィーパとともに帯が移動して施封把から紙葉類の一部が引き出され、良好な施封状態を得ることができなくなるという問題があった。
【０００７】
本発明は、上記事情に着目してなされたもので、その目的とするところは、押圧手段上で帯の両端部を加熱接着しても押圧手段に帯を接着させることなく、また、接着したとしても引き剥がすことができるようにした紙葉類施封装置を提供することにある。
【課題を解決するための手段】
【０００８】
上記課題を解決するため、請求項１記載のものは、集積紙葉類の集積方向一面側の略中央部を押圧面によって集積方向に押圧する押圧手段と、この押圧手段の反押圧面側に設けられた離型材と、前記押圧手段によって押圧される前記集積紙葉類の集積方向他面側の両側部を支持することにより前記集積紙葉類を湾曲させる支持手段と、前記湾曲された集積紙葉類に帯を巻き付けて該帯の両端部を前記押圧手段の離型材上で重ね合わせて加熱接着することにより施封する施封手段と、この施封手段により前記集積紙葉類が施封されたのち、前記押圧手段を前記帯から引き抜く引抜手段とを具備する。
【０００９】
請求項２記載のものは、集積紙葉類の集積方向一面側の略中央部を集積方向に押圧する押圧手段と、この押圧手段によって押圧される前記集積紙葉類の集積方向他面側の両側部を支持することにより前記集積紙葉類を湾曲させる支持手段と、前記湾曲された集積紙葉類に帯を巻き付けて該帯の両端部を前記押圧手段上で重ね合わせて加熱接着することにより施封する施封手段と、この施封手段による前記集積紙葉類の施封後、前記押圧手段を前記帯の両端部から引き剥がす引剥手段と、この引剥手段により前記押圧手段が引剥されたのち、前記押圧手段を前記帯から引き抜く引抜手段とを具備する。
【００１０】
請求項５記載のものは、集積紙葉類の集積方向一面側の略中央部を集積方向に押圧する押圧手段と、この押圧手段によって押圧される前記集積紙葉類の集積方向他面側の両側部を支持することにより前記集積紙葉類を湾曲させる支持手段と、前記湾曲された集積紙葉類に帯を巻き付けて該帯の両端部を前記押圧手段上で重ね合わせて加熱接着することにより施封する施封手段と、この施封手段によって施封された前記集積紙葉類の端面に平行に当接しながら前記施封された集積紙葉類を押し出す押出手段とを具備する。
【発明の効果】
【００１１】
本発明によれば、押圧手段の引抜時における紙葉類の引き出しを防止でき、また、施封された集積紙葉類の押出時における集積状態の崩れを防止できる。
【発明を実施するための最良の形態】
【００１２】
以下、図面を参照して本発明の実施の形態を詳細に説明する。  
【実施例１】
【００１３】
図１は本発明に係る紙葉類施封装置を組み込んだ紙葉類処理装置を示す概略的構成図である。  
紙葉類処理装置１は、所定枚数、例えば１０００枚の紙葉類を一単位として処理可能に構成され、その一端部側には１０００枚の紙葉類を積層状態で一括して順次自動投入する投入装置２が接続されている。
【００１４】
紙葉類処理装置１は、投入された紙葉類を１枚づつ取り出す取出部４、取り出された紙葉類を搬送する搬送路７を備えている。また、紙葉類処理装置１は、搬送された紙葉類から模様、寸法、搬送ピッチ等の情報を検出して紙葉類の印刷品質を判別する判別部８、判別結果に応じて紙葉類の搬送方向を切り替える切替部１０、切り替えられた紙葉類を集積する集積部１２、集積された紙葉類を所定枚数づつ施封する施封手段としての施封部１４を備えている。
【００１５】
取出部４の近傍には供給装置１１が設けられ、この供給装置１１は投入装置２から投入された紙葉類を受け取って取出部４へ供給する。取出部４には吸着回転ローラ４ａが設けられ、この吸着回転ローラ４ａは、紙葉類を１枚づつ所定のピッチで取り出す。
【００１６】
判別部８は、搬送中の紙葉類の重ね取りを検知する重ね取り検知部、紙葉類に付された模様を読み取る読取装置、紙葉類の枚数を計数する計数装置等を備えて構成され、搬送路７に沿って順に配設されている。
【００１７】
判別部８において計数、模様読み取り、及び長さ検出に基づいて印刷品質が判別された紙葉類は、その判別結果に応じて集積部１２に集積される。集積部１２は、少なくとも２つの集積装置１２ａ、１２ｂを備えている。
【００１８】
切替部１０は搬送路７に配設された２つの振り分けゲート１０ａ、１０ｂを有し、各ゲート１０ａ，１０ｂを切換えることにより紙葉類の搬送路を切換え、集積部１２の２つの集積装置１２ａ、１２ｂに紙葉類を例えば、１００枚ずつ導くようになっている。
【００１９】
また、施封部１４は、集積装置１２ａ、１２ｂの下方部にそれぞれ配設された２つの把施封装置１４ａ、１４ｂと束施封部１５を備えている。
【００２０】
図２は集積装置１２ａ，１２ｂ及び把施封装置１４ａ，１４ｂを示す正面図である。  
集積装置１２ａ，１２ｂは、搬送されてくる紙葉類Ｐを羽根１６ａ間に導入させて案内する羽根車１６を備え、この羽根車１６によって案内されてくる紙葉類Ｐはその先端部が掻取板１７に当接することにより羽根１６ａ間から掻出されて落下されるようになっている。羽根車１６の下方部には、シャッタ１８が開閉自在に設けられ、羽根１６ａ間から掻出される紙葉類Ｐはシャッタ１８上に落下されて所定枚数（例えば１００枚）集積されるようになっている。
【００２１】
把施封装置１４ａ，１４ｂは、レシーバ２０を図示矢印方向に回動自在に備え、このレシーバ２０は上記したシャッタ１８の下方部に設けられている。レシーバ２０上には図示しない供給機構によって所定長さに切断された帯２１が紙葉類Ｐの長手方向に対して直交する方向に沿って供給されるようになっている。帯２１の一面側には加熱されることにより溶解して接着力を発生する接着剤が塗布されている。また、レシーバ２０の上部側には押圧手段としてのスィーパ２４が図示矢印方向に回動自在に設けられている。
【００２２】
シャッタ１８上に紙葉類Ｐが所定枚数集積されると、シャッタ１８が開放されて図３に示すように集積紙葉類２６がレシーバ２０上に落下される。そして、この状態からスィーパ２４が下方へ回動されて集積紙葉類２６の上面部を押圧する。これにより、集積紙葉類２６及び帯２１は、スィーパ２４とレシーバ２０とによって挟持された状態で施封位置２７へと移動されるようになっている。
【００２３】
図４は施封位置２７に回動されたレシーバ２０とスィーパ２４を示す斜視図である。  
この施封位置２７には図５にも拡大して示すように所定間隔を存して支持手段としての一対の支持板２９が対向配置されている。この支持板２９は起立壁３０を有し、この起立壁３０の上面部によって図６に示すように集積紙葉類２６の下面両側部を支持するようになっている。集積紙葉類２６はその下面両側部が支持板２９の起立壁３０の上面部によって支持された状態でその中央部が後述するようにスィーパ２４によって下方に押し下げられることにより湾曲されるようになっている。
【００２４】
また、レシーバ２０は基板部２０ａを有し、この基板部２０ａの両側部には所定間隔を存して受け片２０ｂ，２０ｃがそれぞれ取り付けられている。受け片２０ｂ，２０ｃはレシーバ２０の基板部２０ａ上に載置される集積紙葉類２６が基板部２０ａから落下することのないように集積紙葉類２６を受け止めるものである。
【００２５】
図７は、上記したスィーパ２４を示す構成図である。  
このスィーパ２４は、その上面部にシリコンラバー層２４ａを有し、このシリコンラバー層２４ａの上面部に離型材としてのテフロン（登録商標）製の離型シート層２４ｂを設けている。
【００２６】
スィーパ２４は、後述する加熱接着手段３８の受け台として兼用され、その離型シート層２４ｂ上で帯２１の両端部が加熱接着手段３８によって加熱接着されるようになっている。
【００２７】
また、スィーパ２４には、図２に示すように引抜手段としての引抜機構３９が接続され、スィーパ２４は帯２１の両端部が加熱接着された後に、引抜機構３９により帯２１から引き抜かれるようになっている。
【００２８】
図８は把施封装置１４ａ，１４ｂの施封手段としての帯巻付機構３４を示す構成図である。  
帯巻付機構３４は、レシーバ２０の下部側に一対の折曲部材３５，３６、及び第２の折曲手段３７を配設するとともに、レシーバ２０の斜め上方に加熱接着手段３８を設けている。
【００２９】
帯２１と集積紙葉類２６がレシーバ２０とスィーパ２４によって挟持されて施封位置２７に移送されると、集積紙葉類２６の下面両側部が支持板２９の上端部に当接されるとともに、集積紙葉類２６の上面中央部が下方に押し下げられて集積紙葉類２６が湾曲状に変形されるようになっている。
【００３０】
次に、上記したように湾曲された集積紙葉類２６の施封動作について説明する。  
集積紙葉類２６が湾曲されると、一対の折曲部材３５，３６が図示しない駆動機構により、図９（ａ）に示すように斜め上方に向かって上昇されて帯２１の両端部を押し上げる。ついで、図９（ｂ）に示すように、集積紙葉類２６の上面部がクランパ４０によって押さえられたのち、図９（ｃ）に示すように、一対の折曲部材３５，３６が帯２１の両端部を集積紙葉類２６の側面部に沿って折り曲げて立ち上げる。こののち、第２の折曲手段３７が図示しない駆動機構により上昇されたのち、図１０（ａ）に示すように、集積紙葉類２６側に向かって移動する。これにより、帯２１の一端部側２１ａがその中途部から集積紙葉類２６の上面部側に向かって折り曲げられ、スィーパ２４上面の離型シート層２４ｂ上に重ね合わされる。
【００３１】
このように、帯２１の一端部側２１ａを折り曲げたのち、図１０（ｂ）に示すように、加熱接着手段３８が図示しない駆動機構によって集積紙葉類２６側に向かって移動されて、帯２１の他端部側２１ｂを集積紙葉類２６の上面部側に向かって折り曲げ、既に折り曲げられている帯２１の一端部２１ａ上に重ね合わせて加熱する。これにより、帯２１の両端部が接着されて集積紙葉類２６が施封されて紙葉類把となる。
【００３２】
このように集積紙葉類２６が施封されたのち、加熱接着手段３８、一対の折曲部材３５，３６、及び第２の折曲手段３７が初期位置へ復帰される。こののち、図１１に示すようにスィーパ２４を帯２１から引き抜いたのち、押出手段としてのプッシャ４２で紙葉類把４４の長手方向の端面４４ａを押し出して紙葉類把４４を図１２に示すように排出する。
【００３３】
図１３は、スィーパ２４の引抜時に、紙葉類把４４の端面４４ａがプッシャ４２によって押さえられた状態を示すものである。このとき、プッシャ４２は紙葉類把４４の端面４４ａに対して平行になるように傾斜した状態になっている。
【００３４】
プッシャー４２はその下端部が駆動軸４３に接続され、駆動軸４３の回動により図１４の図示矢印で示すように回動されて紙葉類把４４を押し出すようになっている。プッシャー４２の上部側には紙葉類把４４の押出時においてその端面４４ａに対して平行に当接するように折曲部４２ａが形成されている。
【００３５】
このように、プッシャ４２に折曲部４２ａを形成し、この折曲部４２ａを紙葉類把４４の端面４４ａに平行に当接して紙葉類把４４を押し出すことにより、紙葉類把４４の端面４４ａを揃えた状態で押し出すことが可能となる。従って、紙葉類把４４の端面４４ａが図１８に示すように不揃いの状態になることがない。
【００３６】
なお、図１５に示すように、スィーパ２４を紙葉類把４４の押出方向に沿って移動させることにより、紙葉類把４４の端面４４ａに対し、平行に当接させて押し出すようにしても良い。これによっても、紙葉類把４４の端面４４ａが整った状態で紙葉類把４４を押し出すことができる。
【００３７】
上記したように、この実施の形態によれば、スィーパ２４の上面部に離型シート層２４ｂを設け、この離型シート層２４ｂ上で帯２１の両端部２１ａ，２１ｂを重ね合わせて加熱接着するため、帯２１の両端部がスィーパ２４に接着することを防止できる。従って、スィーパ２４を帯２１から引き抜いても、帯２１が引き出されてしまうことがない。よって、図１７に示すように紙葉類把４４から紙葉類Ｐの一部を引き出してしまうことがないという利点がある。
【実施例２】
【００３８】
図１６は、本発明の第２の実施の形態を示すものである。
【００３９】
上記した第１の実施の形態では、スィーパ２４の上面部に離型シート層２４ｂを設けることにより、スィーパ２４と帯２２の両端部との接着を防止するようにしたが、これに限られることなく、図１６に示すようなものであっても良い。
【００４０】
即ち、図１６（ａ）に示すように、スィーパ２４に引剥手段としての引剥機構４５を接続し、スィーパ２４上で帯２１の両端部２１ａ，２１ｂを加熱接着したのち、図１６（ｂ）に示すように、引剥機構４５によりスィーパ２４を少し下方に押し下げてスィーパ２４を帯２１の両端部２１ａ，２１ｂから引き剥がす。この引剥後、図１６（ｃ）に示すように、スィーパ２４を図示矢印方向に引き抜く。
【００４１】
この第２の実施の形態によっても上記した第１の実施の形態と同様に、スィーパ２４の引き抜き時における紙葉類の引き出を防止することができる。
【００４２】
なお、スィーパ２４を帯２１の両端部２１ａ，２１ｂから押し下げることなく、帯２１の両端部２１ａ，２１ｂに対し平行にわずかに引き抜いて停止することによってもスィーパ２４を帯２１から引き剥がすことが可能である。
【００４３】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４４】
【図１】本発明の第１の実施の形態である紙葉類処理装置を概略的に示す正面図。
【図２】図１の紙葉類処理装置に設けられる集積装置及び施封装置を示す正面図。
【図３】図２の集積装置に集積された積層紙葉類が施封位置に移動された状態を示す図。
【図４】図２の施封装置を構成するレシーバ、スィーパ及び支持部材を示す斜視図。
【図５】図４のレシーバ及び支持部材を拡大して示す斜視図。
【図６】図５の支持部材によって支持される集積紙葉類を示す図。
【図７】図４のスィーパを示す正面図。
【図８】図３の施封位置に設けられる帯巻付機構を示す構成図。
【図９】図８の帯巻付機構による帯巻付け動作を示す図。
【図１０】図８の帯巻付機構による帯巻付け動作を示す図。
【図１１】図８の帯巻付機構により施封された紙葉類把の送り出し動作を示す図。
【図１２】図１１の送出動作により送り出される紙葉類把を示す斜視図。
【図１３】図１１のプッシャーに紙葉類把の端面が当接された状態を示す図。
【図１４】図１３のプッシャーによって紙葉類把が押し出される状態を示す図。
【図１５】プッシャの平行移動によって紙葉類把が押し出される状態を示す図。
【図１６】本発明の第２の実施の形態であるプッシャの帯からの引剥動作を示す図。
【図１７】スィーパの引抜時に、紙葉類把から紙葉類の一部が引き出された状態を示す図。
【図１８】プッシャの押出により紙葉類把の端面が不揃いになった状態を示す図。
【符号の説明】
【００４５】
２１…帯、２６…集積紙葉類、２４ｂ…離型シート層（離型材）、２４…スィーパ（押圧手段）、２９…支持板（支持手段）、３４…帯巻付機構（施封手段）、３９…引抜機構（引抜手段）、４２…プッシャ（押出手段）、４２ａ…折曲部、４５…引剥機構（引剥手段）。
【図１】
2008030785.tif 000003
【図２】
2008030785.tif 000004
【図３】
2008030785.tif 000005
【図４】
2008030785.tif 000006
【図５】
2008030785.tif 000007
【図６】
2008030785.tif 000008
【図７】
2008030785.tif 000009
【図８】
2008030785.tif 000010
【図９】
2008030785.tif 000011
【図１０】
2008030785.tif 000012
【図１１】
2008030785.tif 000013
【図１２】
2008030785.tif 000014
【図１３】
2008030785.tif 000015
【図１４】
2008030785.tif 000016
【図１５】
2008030785.tif 000017
【図１６】
2008030785.tif 000018
【図１７】
2008030785.tif 000019
【図１８】
2008030785.tif 000020